(57)【特許請求の範囲】
【請求項１】
上壁部、下壁部、左壁部、右壁部、後壁部および前壁部を有する直方体状の本体部と、
前記本体部の内部で収納物を吊り下げる吊り下げ具を支持する支持部とを備え、
前記本体部の上部を第１部分とし、前記第１部分よりも下方の部分を第２部分としたとき、前記左壁部および前記右壁部のそれぞれにおける前記第１部分と前記第２部分との境界には、切断位置を示す第１切断標線が前後方向の全長に延びて設けられており、
前記第１部分における前記左壁部と前記前壁部との境界、前記右壁部と前記前壁部との境界および前記前壁部には、第１開口を前記前壁部に形成するための切り取り位置を示す第１切り取り標線がＵ字状に設けられており、
前記第２部分における前記左壁部と前記前壁部との境界および前記右壁部と前記前壁部との境界には、前記第１開口に連続する第２開口を前記前壁部に形成するための切り取り位置を示す第２切り取り標線が前記第１切り取り標線に繋がって設けられており、
前記第１部分を前記第２部分に対して前方に９０度倒すとき、前記後壁部が折り曲げられて、前記第１開口を通して前記第１部分に前記第２部分の一部が受け入れられ、または、前記第２開口を通して前記第２部分に前記第１部分の一部が受け入れられる、収納箱。
【請求項２】
前記支持部は、前記上壁部から下方に離間して前記上壁部と平行に設けられた板状の引っ掛け部と、前記引っ掛け部を前記上壁部に繋ぐ板状の繋ぎ部とを有しており、
前記引っ掛け部には、前記引っ掛け部の上面に引っ掛けられる前記吊り下げ具が挿通される貫通孔が設けられている、請求項１に記載の収納箱。
【請求項３】
前記貫通孔は、前後方向に延びる長孔状に形成されている、請求項２に記載の収納箱。
【請求項４】
前記第２部分よりも下方の前記本体部の下部を第３部分としたとき、前記左壁部および前記右壁部のそれぞれにおける前記第２部分と前記第３部分との境界には、切断位置を示す第２切断標線が前後方向の全長に延びて設けられており、
前記第３部分における前記左壁部と前記前壁部との境界、前記右壁部と前記前壁部との境界および前記前壁部には、前記第２開口に連続する第３開口を前記前壁部に形成するための切り取り位置を示す第３切り取り標線がＵ字状に設けられており、
前記第３部分を前記第２部分に対して前方に９０度倒すとき、前記後壁部が折り曲げられて、前記第３開口を通して前記第３部分に前記第２部分の一部が受け入れられ、または、前記第２開口を通して前記第２部分に前記第３部分の一部が受け入れられる、請求項１ないし３のいずれか１項に記載の収納箱。
【請求項５】
前記第２部分の上下方向長さは、前記第１部分の前後方向長さと前記第３部分の前後方向長さの合計長さと同じに定められている、請求項４に記載の収納箱。
【請求項６】
前記第１部分および前記第３部分のそれぞれの上下方向長さは、同じに定められている、請求項４または５に記載の収納箱。
【請求項７】
前記第１部分および前記第３部分のそれぞれの上下方向長さは、前記第２部分の前後方向長さよりも長く定められており、
前記第１開口および前記第３開口を形成したとき、前記本体部の上下方向両端部に前記前壁部の一部が残される、請求項４ないし６のいずれか１項に記載の収納箱。
【請求項８】
前記第１切断標線、前記第２切断標線、前記第１切り取り標線、前記第２切り取り標線および前記第３切り取り標線のそれぞれは、ミシン目状に形成された複数の貫通孔で構成されている、請求項４ないし７のいずれか１項に記載の収納箱。
【請求項９】
前記前壁部は、前記左壁部に繋がって設けられた第１前壁片と、前記右壁部に繋がって設けられ、前記第１前壁片の右側に並んで配置された第２前壁片とを有しており、
前記第１切り取り標線、前記第２切り取り標線および前記第３切り取り標線は、前記第１前壁片および前記第２前壁片のそれぞれを前記本体部の左右方向長さよりも長い長さで切り取り可能に構成されている、請求項４ないし８のいずれか１項に記載の収納箱。
【請求項１０】
前記本体部および前記支持部は、ダンボールで構成されている、請求項１ないし９のいずれか１項に記載の収納箱。
【発明の詳細な説明】
【技術分野】
【０００１】
本発明は、衣類などの収納物を吊り下げて保管することのできる収納箱に関する。
【背景技術】
【０００２】
下記特許文献１には、収納物を吊り下げて保管することのできる従来の収納箱が開示されている。この収納箱は、上端部に開口を有する中空の本体部と、本体部の開口を塞ぐように本体部の上部に設けられた蓋部とを備えている。蓋部の内面には、衣類を吊り下げる吊り下げ用部材が設けられている。
【先行技術文献】
【特許文献】
【０００３】
【特許文献１】特開２０１６−６９０５７号公報
【０００４】
特許文献１の段落［００１６］には、従来の収納箱の用途として、クリーニング業者などがクリーニング済みの衣類などを吊り下げて保管するときに使用するハンガーラックとしての用途や、当該衣類などを利用客に届けるときに使用する輸送箱としての用途が記載されている。しかしながら、輸送箱としての用途では、収納箱の上下方向長さが長くなることから輸送時の体積が大きくなり、輸送コストが高くなるという問題があった。
【発明の概要】
【０００５】
本発明は上記問題に対処するためになされたものであり、その目的は、輸送コストを低減できる収納箱を提供することにある。
【０００６】
上記目的を達成するため、本発明に係る収納箱の特徴は、上壁部、下壁部、左壁部、右壁部、後壁部および前壁部を有する直方体状の本体部と、前記本体部の内部で収納物を吊り下げる吊り下げ具を支持する支持部とを備え、前記本体部の上部を第１部分とし、前記第１部分よりも下方の部分を第２部分としたとき、前記左壁部および前記右壁部のそれぞれにおける前記第１部分と前記第２部分との境界には、切断位置を示す第１切断標線が前後方向の全長に延びて設けられており、前記第１部分における前記左壁部と前記前壁部との境界、前記右壁部と前記前壁部との境界および前記前壁部には、第１開口を前記前壁部に形成するための切り取り位置を示す第１切り取り標線がＵ字状に設けられており、前記第２部分における前記左壁部と前記前壁部との境界および前記右壁部と前記前壁部との境界には、前記第１開口に連続する第２開口を前記前壁部に形成するための切り取り位置を示す第２切り取り標線が前記第１切り取り標線に繋がって設けられており、前記第１部分を前記第２部分に対して前方に９０度倒すとき、前記後壁部が折り曲げられて、前記第１開口を通して前記第１部分に前記第２部分の一部が受け入れられ、または、前記第２開口を通して前記第２部分に前記第１部分の一部が受け入れられることにある。
【０００７】
この構成によれば、左壁部および右壁部を第１切断標線に沿って切断することによって、第１部分を第２部分に対して前方に９０度倒すことができる。第１部分を第２部分に対して前方に倒すとき、第１部分に第２部分の一部が受け入れられ、または、第２部分に第１部分の一部が受け入れられる。したがって、受け入れられた分だけ、本体部の体積を小さくすることが可能であり、輸送コストを低減できる。
【０００８】
本発明に係る収納箱の他の特徴は、前記支持部は、前記上壁部から下方に離間して前記上壁部と平行に設けられた板状の引っ掛け部と、前記引っ掛け部を前記上壁部に繋ぐ板状の繋ぎ部とを有しており、前記引っ掛け部には、前記引っ掛け部の上面に引っ掛けられる前記吊り下げ具が挿通される貫通孔が設けられていることにある。
【０００９】
この構成によれば、上壁部と引っ掛け部とが繋ぎ部を介して繋がっているので、これらをダンボールのような共通の材料を用いて簡単に形成することができる。
【００１０】
本発明に係る収納箱の他の特徴は、前記貫通孔は、前後方向に延びる長孔状に形成されていることにある。
【００１１】
この構成によれば、長孔状の貫通孔に複数の吊り下げ具を前後方向に並べて挿通させることができるので、本体部の内部に複数の収納物（衣類など）を前後方向に並べて収納できる。
【００１２】
本発明に係る収納箱の他の特徴は、前記第２部分よりも下方の前記本体部の下部を第３部分としたとき、前記左壁部および前記右壁部のそれぞれにおける前記第２部分と前記第３部分との境界には、切断位置を示す第２切断標線が前後方向の全長に延びて設けられており、前記第３部分における前記左壁部と前記前壁部との境界、前記右壁部と前記前壁部との境界および前記前壁部には、前記第２開口に連続する第３開口を前記前壁部に形成するための切り取り位置を示す第３切り取り標線がＵ字状に設けられており、前記第３部分を前記第２部分に対して前方に９０度倒すとき、前記後壁部が折り曲げられて、前記第３開口を通して前記第３部分に前記第２部分の一部が受け入れられ、または、前記第２開口を通して前記第２部分に前記第３部分の一部が受け入れられることにある。
【００１３】
この構成によれば、左壁部および右壁部を第２切断標線に沿って切断することによって、第３部分を第２部分に対して前方に９０度倒すことができる。第３部分を第２部分に対して前方に倒すとき、第３部分に第２部分の一部が受け入れられ、または、第２部分に第３部分の一部が受け入れられる。したがって、受け入れられた分だけ、本体部の体積を小さくすることが可能であり、輸送コストを低減できる。
【００１４】
本発明に係る収納箱の他の特徴は、前記第２部分の上下方向長さは、前記第１部分の前後方向長さと前記第３部分の前後方向長さの合計長さと同じに定められている。
【００１５】
この構成によれば、第１部分および第３部分を第２部分に対して前方に９０度倒したとき、第１部分と第３部分との間に隙間は生じない。したがって、本体部の内部に異物が入り込むことを抑制できる。
【００１６】
本発明に係る収納箱の他の特徴は、前記第１部分および前記第３部分のそれぞれの上下方向長さは、同じに定められていることにある。
【００１７】
この構成によれば、第１部分および第３部分を第２部分に対して前方に９０度倒したとき、第１部分および第３部分のそれぞれの前端面を面一にすることができる。したがって、輸送時には、複数の収納箱を安定して積み重ねることができる。
【００１８】
本発明に係る収納箱の他の特徴は、前記第１部分および前記第３部分のそれぞれの上下方向長さは、前記第２部分の前後方向長さよりも長く定められており、前記第１開口および前記第３開口を形成したとき、前記本体部の上下方向両端部に前記前壁部の一部が残されることにある。
【００１９】
この構成によれば、第１部分および第３部分を第２部分に対して前方に９０度倒したとき、本体部（第１部分）の上端部に残された前壁部の一部と本体部（第３部分）の下端部に残された前壁部の一部とを当接させることができる。したがって、第１部分と第３部分との間に隙間が生じ難く、本体部の内部に異物が入り込むことを抑制できる。
【００２０】
本発明に係る収納箱の他の特徴は、前記第１切断標線、前記第２切断標線、前記第１切り取り標線、前記第２切り取り標線および前記第３切り取り標線のそれぞれは、ミシン目状に形成された複数の貫通孔で構成されていることにある。
【００２１】
この構成によれば、本体部を第１切断標線、第２切断標線、第１切り取り標線、第２切り取り標線および第３切り取り標線に沿って簡単に切断することができる。
【００２２】
本発明に係る収納箱の他の特徴は、前記前壁部は、前記左壁部に繋がって設けられた第１前壁片と、前記右壁部に繋がって設けられ、前記第１前壁片の右側に並んで配置された第２前壁片とを有しており、前記第１切り取り標線、前記第２切り取り標線および前記第３切り取り標線は、前記第１前壁片および前記第２前壁片のそれぞれを前記本体部の左右方向長さよりも長い長さで切り取り可能に構成されていることにある。
【００２３】
この構成によれば、第１前壁片および第２前壁片から切り取られる部分の長さが本体部の左右方向長さよりも長くなっているので、切り取られた部分の一部を左壁部の内面に接触させ、かつ、他の一部を右壁部の内面に接触させることによって、当該部分を本体部の内部で固定することができる。したがって、当該部分を収納物の押さえ部材として用いることが可能であり、本体部の内部で収納物が移動することを抑制できる。
【００２４】
本発明に係る収納箱の他の特徴は、前記本体部および前記支持部は、ダンボールで構成されていることにある。
【００２５】
この構成によれば、本体部および支持部をダンボールで安価に製造することができる。
【図面の簡単な説明】
【００２６】
【図１】本発明の実施形態に係る収納箱の構成を示す斜視図であり、（Ａ）は収納物を吊り下げて保管するときの状態を示す斜視図、（Ｂ）は収納物を輸送するときの状態を示す斜視図である。
【図２】支持部の構成を示す斜視図である。
【図３】基礎材の構成を示す図であり、（Ａ）は正面図、（Ｂ）は背面図である。
【図４】図３に示す基礎材を構成する２枚の板材を示す斜視図である。
【図５】本体部の組み立て工程を示す斜視図である。
【図６】支持部の組み立て工程を示す斜視図であり、（Ａ）は基礎材のうち支持部となる部分の構成を示す斜視図、（Ｂ）は引っ掛け部および繋ぎ部を構成する第１工程を示す斜視図である。
【図７】支持部の組み立て工程を示す斜視図であり、（Ｃ）は引っ掛け部および繋ぎ部を構成する第２工程を示す斜視図、（Ｄ）は引っ掛け部および繋ぎ部を構成する第３工程を示す斜視図である。
【図８】本体部の内部に収納物を収納する状態を示す斜視図である。
【図９】第１前壁片および第２前壁片を切り取った状態を示す斜視図である。
【図１０】第１前壁片および第２前壁片から切り取られた部分を収納物の押さえ部材として用いる状態を示す斜視図である。
【図１１】本体部の体積を小さくする工程を示す斜視図であり、（Ａ）は第３部分を第２部分に対して前方に９０度倒した状態を示す斜視図、（Ｂ）は第３部分および第１部分を第２部分に対して前方に９０度倒した状態を示す斜視図である。
【発明を実施するための形態】
【００２７】
以下、本発明の実施形態に係る収納箱について、図面を参照しながら説明する。
【００２８】
（収納箱１０の構成）
図１は、本発明の実施形態に係る収納箱１０の構成を示す斜視図であり、（Ａ）は収納物Ｗを吊り下げて保管するときの状態を示す斜視図、（Ｂ）は収納物Ｗ（図示省略）を輸送するときの状態を示す斜視図である。図２は、支持部１４の構成を示す斜視図である。図３は、基礎材６４の構成を示す図であり、（Ａ）は正面図、（Ｂ）は背面図である。図４は、図３に示す基礎材６４を構成する２枚の板材６６，６８を示す斜視図である。
【００２９】
なお、以下の説明で用いる「前・後・左・右・上・下」の各方向は、図中に矢印で示す方向と一致する。図１（Ａ）に示す状態における収納箱１０の上下方向は鉛直方向と一致する。
【００３０】
図１（Ａ）に示すように、収納箱１０は、衣類などの収納物Ｗを収納する収納空間Ｓ（図８）を構成する本体部１２と、本体部１２の内部に設けられ、収納物Ｗを吊り下げる吊り下げ具Ｑを支持する支持部１４とを備えている。本実施形態では、本体部１２および支持部１４の全体がダンボールで構成されている。図８に示すように、本実施形態の吊り下げ具Ｑは、針金などの線材を曲げて形成されたハンガーであり、支持部１４に引っ掛けられるフック部ｆを有している。
【００３１】
本体部１２は、図１（Ａ）に示す第１状態から図１（Ｂ）に示す第２状態に変形可能に構成されている。第１状態は、衣類などの収納物Ｗを折り畳まずに吊り下げて保管するときの状態であり、第２状態は、衣類などの収納物Ｗを輸送するときの状態である。第２状態における本体部１２の体積は、第１状態における本体部１２の体積よりも小さくなる。
【００３２】
本実施形態の収納箱１０は、衣類などの保管サービスを提供するクリーニング業者向けに設計されたものであり、図１（Ａ）に示す第１状態における本体部１２の大きさは、上下方向長さ1350mm、左右方向長さ540mm、前後方向長さ300mmに定められている。図１（Ｂ）に示す第２状態における本体部１２の大きさは、上下方向長さ600mm、左右方向長さ540mm、前後方向長さ375mmに定められている。ただし、収納箱１０の用途や本体部１２の大きさは、本実施形態に限定されるものではなく、適宜変更可能である。
【００３３】
（本体部１２の構成）
次に、第１状態にある本体部１２の構成について説明する。図１（Ａ）に示すように、本体部１２は、上壁部１６、下壁部１８、左壁部２０、右壁部２２、後壁部２４および前壁部２６を有する直方体状に形成されている。上壁部１６、下壁部１８、左壁部２０および右壁部２２のそれぞれは、環状に繋がるように四角板状に形成されている。
【００３４】
後壁部２４は、左壁部２０の後端縁に繋がって形成された四角板状の第１後壁片２４ａと、右壁部２２の後端縁に繋がって形成された四角板状の第２後壁片２４ｂとを有している。第１後壁片２４ａと第２後壁片２４ｂとは、両開き扉を閉じた形状に形成されており、粘着テープなどの接合材（図示省略）を用いて互いに接合されている。
【００３５】
前壁部２６は、左壁部２０の前端縁に繋がって形成された四角板状の第１前壁片２６ａと、右壁部２２の前端縁に繋がって形成された四角板状の第２前壁片２６ｂとを有している。第１前壁片２６ａと第２前壁片２６ｂとは、両開き扉を閉じた形状に形成されており、粘着テープなどの接合材（図示省略）を用いて互いに接合されている。
【００３６】
本体部１２は、図１（Ａ）に示す第１状態から図１（Ｂ）に示す第２状態に変形可能なように、後壁部２４を除いて、第１部分２８と、第２部分３０と、第３部分３２とに分離可能に構成されている。本実施形態では、本体部１２の上部が第１部分２８となっており、第１部分２８よりも下方の部分（本体部１２の上下方向中央部）が第２部分３０となっており、第２部分３０よりも下方の本体部１２の下部が第３部分３２となっている。
【００３７】
図１（Ａ）に示すように、第１部分２８の上下方向長さは、第２部分３０の前後方向長さよりも長く定められており、第３部分３２の上下方向長さは、第２部分３０の前後方向長さよりも長く、かつ、第１部分２８の上下方向長さと同じに定められている。また、第１部分２８および第３部分３２のそれぞれの前後方向長さおよび左右方向長さは、第２部分３０の前後方向長さおよび左右方向長さと同じに定められている。さらに、第２部分３０の上下方向長さは、第１部分２８の前後方向長さと第３部分３２の前後方向長さの合計長さと同じに定められている。
【００３８】
図１（Ａ）に示すように、左壁部２０および右壁部２２のそれぞれにおける第１部分２８と第２部分３０との境界には、切断位置を示す第１切断標線３４が前後方向の全長に延びて互いに対向して設けられている。また、左壁部２０および右壁部２２のそれぞれにおける第２部分３０と第３部分３２との境界には、切断位置を示す第２切断標線３６が前後方向の全長に延びて互いに対向して設けられている。
【００３９】
本実施形態の第１切断標線３４および第２切断標線３６は、ミシン目状に形成された複数の微細な貫通孔で構成されている。したがって、本体部１２がダンボールで構成されていることと相俟って、左壁部２０および右壁部２２を切断標線３４，３６に沿って簡単に切断することができる。
【００４０】
図１（Ａ）に示すように、本体部１２の第１部分２８には、図９に示す第１開口Ｍ１を前壁部２６に形成するための切り取り位置を示すＵ字状の第１切り取り標線３８が設けられている。第１切り取り標線３８は、互いに平行に延びる２本の直線部分３８ａ，３８ｂと、これらを繋ぐ第１繋ぎ部３８ｃとを有している。２本の直線部分３８ａ，３８ｂは上下方向に延びて設けられており、第１繋ぎ部３８ｃは左右方向に延びて設けられている。
【００４１】
本体部１２の第２部分３０には、図９に示す第２開口Ｍ２を前壁部２６に形成するための切り取り位置を示す２本の第２切り取り標線４０ａ，４０ｂが、互いに平行に延びる直線状に設けられている。２本の第２切り取り標線４０ａ，４０ｂは上下方向に延びて設けられている。
【００４２】
本体部１２の第３部分３２には、図９に示す第３開口Ｍ３を前壁部２６に形成するための切り取り位置を示すＵ字状の第３切り取り標線４２が設けられている。第３切り取り標線４２は、互いに平行に延びる２本の直線部分４２ａ，４２ｂと、これらを繋ぐ第２繋ぎ部４２ｃとを有している。２本の直線部分４２ａ，４２ｂは上下方向に延びて設けられており、第２繋ぎ部４２ｃは左右方向に延びて設けられている。
【００４３】
第１切り取り標線３８の直線部分３８ａ、一方の第２切り取り標線４０ａおよび第３切り取り標線４２の直線部分４２ａは、左壁部２０と前壁部２６との境界に位置する第１稜線Ｒ１上に直線状に繋がって設けられている。第１切り取り標線３８の直線部分３８ｂ、他方の第２切り取り標線４０ｂおよび第３切り取り標線４２の直線部分４２ｂは、右壁部２２と前壁部２６との境界に位置する第２稜線Ｒ２上に直線状に繋がって設けられている。
【００４４】
第１切り取り標線３８の第１繋ぎ部３８ｃは、上壁部１６と前壁部２６との境界に位置する第３稜線Ｒ３から下方に間隔を隔てて、当該第３稜線Ｒ３と平行に設けられている。第３切り取り標線４２の第２繋ぎ部４２ｃは、下壁部１８と前壁部２６との境界に位置する第４稜線Ｒ４から上方に間隔を隔てて、当該第４稜線Ｒ４と平行に設けられている。
【００４５】
第１繋ぎ部３８ｃと第２繋ぎ部４２ｃとの間の距離は、本体部１２の左右方向長さよりも長く定められている。つまり、第１切り取り標線３８、第２切り取り標線４０ａ，４０ｂおよび第３切り取り標線４２は、第１前壁片２６ａおよび第２前壁片２６ｂを本体部１２の左右方向長さよりも長い長さで長方形に切り取り可能に構成されている。
【００４６】
本実施形態の第１切り取り標線３８、第２切り取り標線４０ａ，４０ｂおよび第３切り取り標線４２のそれぞれは、ミシン目状に形成された複数の微細な貫通孔で構成されている。したがって、本体部１２がダンボールで構成されていることと相俟って、本体部１２を切り取り標線３８，４０ａ，４０ｂ，４２に沿って簡単に切断することができる。
【００４７】
図３（Ｂ）に示すように、本体部１２の下壁部１８には、第３部分３２（図１（Ａ））を補強する補強部４４が一体的に設けられている。補強部４４は、下壁部１８の後端縁に繋がって形成された四角板状の第１補強片４４ａと、下壁部１８の前端縁に繋がって形成された四角板状の第２補強片４４ｂとを有している。図示していないが、第１補強片４４ａは、後壁部２４に重ねて配置されており、第２補強片４４ｂは、前壁部２６に重ねて配置されている。また、図３（Ｂ）に示すように、第２補強片４４ｂにおける第３切り取り標線４２の第２繋ぎ部４２ｃと重なる部分には、図９に示す第３開口Ｍ３を形成するための切り取り位置を示す直線状の第４切り取り標線４６が左右方向に延びて設けられている。
【００４８】
（支持部１４の構成）
図２に示すように、支持部１４は、上壁部１６から下方に離間して上壁部１６と平行に設けられた板状の引っ掛け部４８と、引っ掛け部４８を上壁部１６に繋ぐ板状の繋ぎ部５０とを有している。引っ掛け部４８には、吊り下げ具Ｑが挿通される長孔状の貫通孔５２が設けられており、吊り下げ具Ｑのフック部ｆが引っ掛け部４８の上面に引っ掛けられる。
【００４９】
図２に示すように、繋ぎ部５０は、上壁部１６の後端縁に繋がって左右方向に延びて形成された四角板状の第１繋ぎ片５０ａと、上壁部１６の前端縁に繋がって左右方向に延びて形成された四角板状の第２繋ぎ片５０ｂとを有している。
【００５０】
図２に示すように、引っ掛け部４８は、上壁部１６の後端縁に第１繋ぎ片５０ａを介して設けられた四角板状の第１板状片４８ａと、上壁部１６の前端縁に第２繋ぎ片５０ｂを介して設けられた四角板状の第２板状片４８ｂとを有している。
【００５１】
第１板状片４８ａの前端縁には、図３（Ａ）に示す２つのＶ字状の切り込み部５４ａ，５４ｂが左右方向に間隔を隔てて形成されており、第２板状片４８ｂの後端縁には、２つのＶ字状の切り込み部５６ａ，５６ｂが左右方向に間隔を隔てて形成されている。また、第１板状片４８ａには、各切り込み部５４ａ，５４ｂの頂点から後方に延びて線状の切り込み線５８ａ，５８ｂが形成されており、第２板状片４８ｂには、各切り込み部５６ａ，５６ｂの頂点から前方に延びて線状の切り込み線６０ａ，６０ｂが形成されている。
【００５２】
そして、第１板状片４８ａの前端部と第２板状片４８ｂの後端部とが重ね合わされており、第１板状片４８ａの切り込み線５８ａ，５８ｂが形成された部分と、第２板状片４８ｂの切り込み線６０ａ，６０ｂが形成された部分とが互いに噛み合わされている。
【００５３】
図２に示すように、第１板状片４８ａの左右方向中央部における２つの切り込み部５４ａ，５４ｂ（図３（Ａ））の間に位置する部分には、前後方向に延びる第１スリット６２ａが形成されている。第２板状片４８ｂの左右方向中央部における２つの切り込み部５６ａ，５６ｂ（図３（Ａ））の間に位置する部分には、前後方向に延びる第２スリット６２ｂが形成されている。第２板状片４８ｂの前端部には、左右方向に延びる第３スリット６２ｃが形成されている。第２スリット６２ｂの前端部は、第３スリット６２ｃの左右方向一方端部（本実施形態では左端部）に繋げられており、これによりＬ字状の長孔が構成されている。第１スリット６２ａの前端部は、第２スリット６２ｂの後端部に繋げられており、これにより、前後方向に延びる長孔状の貫通孔５２が構成されている。なお、第３スリット６２ｃが設けられる位置は、本実施形態に限定されるものではなく、第１スリット６２ａまたは第２スリット６２ｂと繋げられることを前提として、引っ掛け部４８における前後方向の任意の位置に変更されてもよい。
【００５４】
（基礎材６４の構成）
図１（Ａ）に示す収納箱１０は、図３（Ａ），（Ｂ）に示す基礎材６４を立体的に折り曲げることによって組み立てられる。図４に示すように、基礎材６４は、２枚の板材６６，６８を重ね合わせて、これらの上端部および下端部を互いに接合することによって構成されている。
【００５５】
図４に示すように、第１板材６６は、ダンボールを打ち抜いて形成された１枚の板状部材であり、上記の上壁部１６、左壁部２０、第１後壁片２４ａ、第１前壁片２６ａ、第１板状片４８ａおよび第２板状片４８ｂを有して長方形に形成されている。上壁部１６の右端縁となる第１板材６６の長さ方向一方端縁（上端縁）には、四角板状の第１接合部６６ａが、上壁部１６の前後方向全長にわたって形成されている。
【００５６】
図４に示すように、第２板材６８は、ダンボールを打ち抜いて形成された１枚の板状部材であり、上記の下壁部１８、右壁部２２、第２後壁片２４ｂ、第２前壁片２６ｂ、第１補強片４４ａおよび第２補強片４４ｂを有して長方形に形成されている。下壁部１８の左端縁となる第２板材６８の長さ方向一方端縁（下端縁）には、四角板状の第２接合部６８ａが、下壁部１８の前後方向全長にわたって形成されている。
【００５７】
図３（Ａ），（Ｂ）に示す基礎材６４を製造する際には、図４に示す第１板材６６の第１接合部６６ａが、右壁部２２の上端縁となる第２板材６８の長さ方向他方端縁（上端縁）に接着剤などの接合材を用いて接合される。また、第２板材６８の第２接合部６８ａが、左壁部２０の下端縁となる第１板材６６の長さ方向他方端縁（下端縁）に接着剤などの接合材を用いて接合される。
【００５８】
（収納箱１０の組み立て方法）
図５は、本体部１２の組み立て工程を示す斜視図である。図６は、支持部１４の組み立て工程を示す斜視図であり、（Ａ）は基礎材６４のうち支持部１４となる部分の構成を示す斜視図、（Ｂ）は引っ掛け部４８および繋ぎ部５０を構成する第１工程を示す斜視図である。図７は、支持部１４の組み立て工程を示す斜視図であり、（Ｃ）は引っ掛け部４８および繋ぎ部５０を構成する第２工程を示す斜視図、（Ｄ）は引っ掛け部４８および繋ぎ部５０を構成する第３工程を示す斜視図である。
【００５９】
図１（Ａ）に示す収納箱１０を組み立てる際には、まず、図５に示すように、基礎材６４を立体的に折り曲げて四角柱状に変形させる。続いて、第１後壁片２４ａおよび第２後壁片２４ｂ（図４）を折り曲げて、これらを粘着テープなどの接合材（図示省略）を用いて互いに接合する。また、図６（Ａ），（Ｂ）および図７（Ｃ），（Ｄ）に示すように、第１繋ぎ片５０ａ、第２繋ぎ片５０ｂ、第１板状片４８ａおよび第２板状片４８ｂを折り曲げて、支持部１４を形成する。
【００６０】
支持部１４を形成する際には、まず、図６（Ａ）に示す第１繋ぎ片５０ａおよび第２繋ぎ片５０ｂを上壁部１６との境界線において下方へ９０度折り曲げる。図６（Ｂ）に示すように、第１繋ぎ片５０ａおよび第２繋ぎ片５０ｂを下方へ折り曲げた状態では、これらに繋がった引っ掛け部４８の第１板状片４８ａおよび第２板状片４８ｂが前後方向において互いに対向して配置される。
【００６１】
続いて、図７（Ｃ）に示すように、第２板状片４８ｂを第２繋ぎ片５０ｂに対して後方へ９０度折り曲げるとともに、図７（Ｄ）に示すように、第１板状片４８ａを第１繋ぎ片５０ａに対して前方へ９０度折り曲げる。また、図７（Ｄ）に示すように、第１板状片４８ａの前端部と第２板状片４８ｂの後端部とを重ね合わせて、第１板状片４８ａの切り込み線５８ａ，５８ｂが形成された部分を第２板状片４８ｂの切り込み線６０ａ，６０ｂが形成された部分に嵌め合わせる。
【００６２】
図８は、本体部１２の内部に収納物Ｗを収納する状態を示す斜視図である。図１（Ａ）に示す収納箱１０で収納物Ｗを保管する際には、図８に示すように、本体部１２の収納空間Ｓに収納物Ｗを収納し、その後、第１前壁片２６ａおよび第２前壁片２６ｂを閉じて、これらを粘着テープなどの接合材（図示省略）を用いて互いに接合する。収納空間Ｓに収納物Ｗを収納する際には、図２に示すように、収納物Ｗを吊り下げる吊り下げ具Ｑを貫通孔５２に挿通させて、これを引っ掛け部４８の上面に引っ掛ける。
【００６３】
（収納箱１０を変形させる方法）
図９は、第１前壁片２６ａおよび第２前壁片２６ｂを切り取った状態を示す斜視図である。図１０は、第１前壁片２６ａおよび第２前壁片２６ｂから切り取られた部分を収納物Ｗの押さえ部材として用いる状態を示す斜視図である。図１１は、本体部１２の体積を小さくする工程を示す斜視図であり、（Ａ）は第３部分３２を第２部分３０に対して前方に９０度倒した状態を示す斜視図、（Ｂ）は第３部分３２および第１部分２８を第２部分３０に対して前方に９０度倒した状態を示す斜視図である。
【００６４】
収納箱１０を図１（Ａ）に示す第１状態から図１（Ｂ）に示す第２状態に変形させる際には、まず、図９に示すように、本体部１２を第１切り取り標線３８、第２切り取り標線４０ａ，４０ｂおよび第３切り取り標線４２に沿って切断する。すると、第１前壁片２６ａおよび第２前壁片２６ｂのそれぞれが、本体部１２の左右方向長さよりも長い長さで長方形に切り取られ、第１開口Ｍ１、第２開口Ｍ２および第３開口Ｍ３が前壁部２６の左右方向の全長にわたって上下方向に繋がって構成される。また、本体部１２の上端部に前壁部２６の上端部（一部）７０ａが残されるとともに、本体部１２の下端部に前壁部２６の下端部（一部）７０ｂが残される。
【００６５】
続いて、図１０に示すように、第１前壁片２６ａおよび第２前壁片２６ｂの切り取られた部分を折り曲げて、これらを第２開口Ｍ２から第２部分３０の内部に挿入し、これらの一部を左壁部２０の内面に接触させるとともに、これらの他の一部を右壁部２２の内面に接触させる。これにより、第１前壁片２６ａおよび第２前壁片２６ｂの切り取られた部分を本体部１２の内部で固定できるので、これらの部分を収納物Ｗの押さえ部材として用いることができる。
【００６６】
そして、左壁部２０および右壁部２２を第１切断標線３４および第２切断標線３６に沿って切断し、後壁部２４を除いて、第１部分２８と、第２部分３０と、第３部分３２とを分離する。続いて、図１１（Ａ）に示すように、第３部分３２を第２部分３０に対して前方に９０度倒すとともに、図１１（Ｂ）に示すように、第１部分２８を第２部分３０に対して前方に９０度倒し、第３開口Ｍ３の開口縁と第１開口Ｍ１の開口縁とを突き合わせる。その後、第１部分２８と第２部分３０とを粘着テープなどの接合材（図示省略）を用いて互いに接合する。
【００６７】
第３部分３２を前方に倒すときには、第３部分３２と第２部分３０との境界において後壁部２４が折り曲げられ、第３開口Ｍ３を通して第３部分３２に第２部分３０の一部（半分）が受け入れられる。一方、第１部分２８を前方に倒すときには、第１部分２８と第２部分３０との境界において後壁部２４が折り曲げられ、第１開口Ｍ１を通して第１部分２８に第２部分３０の他の一部（残りの半分）が受け入れられる。
【００６８】
（実施形態の効果）
本実施形態によれば、上記構成により以下の各効果を奏することができる。すなわち、図１１（Ａ），（Ｂ）に示すように、左壁部２０および右壁部２２を第１切断標線３４および第２切断標線３６（図１０）に沿って切断することによって、第１部分２８および第３部分３２を第２部分３０に対して前方に倒すことができる。第１部分２８を前方に倒すときには、第１部分２８に第２部分３０の一部が受け入れられ、第３部分３２を前方に倒すときには、第３部分３２に第２部分３０の一部が受け入れられる。したがって、受け入れられた分だけ、本体部１２の体積を小さくすることが可能であり、輸送コストを低減できる。
【００６９】
図２に示すように、上壁部１６と引っ掛け部４８とが繋ぎ部５０を介して繋がっているので、これらを共通の材料を用いて簡単に形成することができる。したがって、本体部１２および支持部１４がダンボールで構成されていることと相俟って、収納箱１０を安価に製造できる。
【００７０】
図２に示すように、長孔状の貫通孔５２に複数の吊り下げ具Ｑ（図８）を前後方向に並べて挿通させることができるので、本体部１２の内部に複数の収納物Ｗを前後方向に並べて収納できる。
【００７１】
図２に示すように、第１板状片４８ａおよび第２板状片４８ｂは、上壁部１６の後端縁および前端縁に繋がっている。上壁部１６の後端縁および前端縁は、左端縁および右端縁よりも長いので、第１板状片４８ａおよび第２板状片４８ｂが上壁部１６の左端縁および右端縁に繋がっている場合に比べて、第１板状片４８ａおよび第２板状片４８ｂの耐荷重を大きくすることができる。
【００７２】
図１（Ａ）に示すように、第２部分３０の上下方向長さは、第１部分２８の前後方向長さと第３部分３２の前後方向長さの合計長さと同じに定められているので、第１部分２８および第３部分３２を第２部分３０に対して前方に９０度倒したとき（図１（Ｂ））、第１部分２８と第３部分３２との間に隙間は生じない。したがって、本体部１２の内部に異物が入り込むことを抑制できる。
【００７３】
図１（Ａ）に示すように、第１部分２８および第３部分３２のそれぞれの上下方向長さは、同じに定められているので、第１部分２８および第３部分３２を第２部分３０に対して前方に９０度倒したとき、第１部分２８および第３部分３２のそれぞれの前端面を面一にすることができる。したがって、輸送時には、複数の収納箱１０を安定して積み重ねることができる。
【００７４】
図１１（Ａ），（Ｂ）に示すように、第１部分２８および第３部分３２を第２部分３０に対して前方に９０度倒したとき、第１部分２８の上端部に残された前壁部２６の一部と第３部分３２の下端部に残された前壁部２６の一部とを当接させることができる。したがって、第１部分２８と第３部分３２との間に隙間が生じ難く、本体部１２の内部に異物が入り込むことを抑制できる。
【００７５】
図１（Ａ）に示すように、第１切断標線３４、第２切断標線３６、第１切り取り標線３８、第２切り取り標線４０ａ，４０ｂおよび第３切り取り標線４２のそれぞれが、ミシン目状に形成された複数の微細な貫通孔で構成されているので、本体部１２をこれらの標線に沿って簡単に切断することができる。
【００７６】
図１０に示すように、第１前壁片２６ａおよび第２前壁片２６ｂの切り取られた部分を収納物Ｗの押さえ部材として用いることができるので、本体部１２の内部で収納物Ｗが移動することを抑制でき、輸送時に収納物Ｗが片寄ったり、収納物Ｗである衣類などにシワが付いたりすることを防止できる。
【００７７】
（変形例）
なお、本発明の実施にあたっては、上記実施形態に限定されず、本発明の目的を逸脱しない限りにおいて種々の変更が可能である。すなわち、上記実施形態では、本体部１２および支持部１４の全体がダンボールで構成されているが、本体部１２および支持部１４の材質は、ダンボールに限定されるものではなく、例えば、厚紙、木質繊維板、木板および合成樹脂などが用いられてもよい。また、第１後壁片２４ａと第２後壁片２４ｂとを接合する接合材や、第１前壁片２６ａと第２前壁片２６ｂとを接合する接合材としては、粘着テープのほか、接着剤やステープラ針などが用いられてもよい。
【００７８】
図１（Ａ）に示すように、上記実施形態では、第１切断標線３４、第２切断標線３６、第１切り取り標線３８、第２切り取り標線４０ａ，４０ｂおよび第３切り取り標線４２のそれぞれが、ミシン目状に形成された複数の微細な貫通孔で構成されているが、これらの標線は、本体部１２の表面に印刷された単なる線として構成されてもよい。この場合でも、ハサミなどの切断具を用いることによって、本体部１２を当該線に沿って簡単に切断することができる。
【００７９】
図１（Ａ）に示すように、上記実施形態では、第１切り取り標線３８の直線部分３８ａ、第２切り取り標線４０ａおよび第３切り取り標線４２の直線部分４２ａが第１稜線Ｒ１上に設けられているが、これらは、第１稜線Ｒ１に対して平行となるように、左壁部２０または前壁部２６に設けられてもよい。また、第１切り取り標線３８の直線部分３８ｂ、第２切り取り標線４０ｂおよび第３切り取り標線４２の直線部分４２ｂは、第２稜線Ｒ２に対して平行となるように、右壁部２２または前壁部２６に設けられてもよい。
【００８０】
図１（Ａ）に示すように、上記実施形態では、第１部分２８および第３部分３２のそれぞれの上下方向長さが同じに定められているが、これらの上下方向長さは、一方が他方よりも長くなっていてもよい。
【００８１】
図４に示すように、上記実施形態では、図１（Ａ）に示す収納箱１０が、２枚の板材６６，６８を互いに接合することによって環状に構成されているが、収納箱１０は、１枚の板材（図示省略）の一方端部と他方端部とを接合することによって環状に構成されてもよいし、３枚以上の板材（図示省略）を互いに接合することによって環状に構成されてもよい。
【００８２】
図１１（Ａ），（Ｂ）に示すように、上記実施形態では、本体部１２が第１部分２８、第２部分３０および第３部分３２を有しているが、第３部分３２は省略されてもよい。この場合でも、第１部分２８を第２部分３０に対して前方に９０度倒すときに、第１開口Ｍ１を通して第１部分２８に第２部分３０の一部が受け入れられるので、本体部１２の体積を小さくすることができる。
【００８３】
図１１（Ａ），（Ｂ）に示すように、上記実施形態では、第３開口Ｍ３を通して第３部分３２に第２部分３０の一部が受け入れられているが、第２開口Ｍ２を通して第２部分３０に第３部分３２の一部が受け入れられてもよい。また、上記実施形態では、第１開口Ｍ１を通して第１部分２８に第２部分３０の一部が受け入れられているが、第２開口Ｍ２を通して第２部分３０に第１部分２８の一部が受け入れられてもよい。これらの場合でも、第３部分３２および第１部分２８が受け入れられた分だけ、本体部１２を小さくすることができる。
【００８４】
図２に示すように、上記実施形態では、支持部１４が板状の引っ掛け部４８を有しているが、支持部１４の構成は適宜変更されてもよい。例えば、支持部１４は、本体部１２の内部に前後方向に延びて設けられた棒状の引っ掛け部（図示省略）を有していてもよい。
【符号の説明】
【００８５】
Ｍ１…第１開口、Ｍ２…第２開口、Ｍ３…第３開口、Ｑ…吊り下げ具、Ｒ１…第１稜線、Ｒ２…第２稜線、Ｒ３…第３稜線、Ｒ４…第４稜線、Ｓ…収納空間、Ｗ…収納物、１０…収納箱、１２…本体部、１４…支持部、１６…上壁部、１８…下壁部、２０…左壁部、２２…右壁部、２４…後壁部、２６ａ…第１前壁片、２６ｂ…第２前壁片、２６…前壁部、２８…第１部分、３０…第２部分、３２…第３部分、３４…第１切断標線、３６…第２切断標線、３８…第１切り取り標線、４０ａ…第２切り取り標線、４０ｂ…第２切り取り標線、４２…第３切り取り標線、４４…補強部、４６…第４切り取り標線、４８…引っ掛け部、５０…繋ぎ部、５２…貫通孔、６２ａ…第１スリット、６２ｂ…第２スリット、６２ｃ…第３スリット、６４…基礎材、６６…第１板材、６８…第２板材。
【要約】
【課題】輸送コストを低減できる収納箱を提供する。
【解決手段】収納箱１０は、直方体状の本体部１２と、支持部１４とを備えている。本体部１２の左壁部２０および右壁部２２における第１部分２８と第２部分３０との境界には、第１切断標線３４が設けられており、第３部分３２と第２部分３０との境界には、第２切断標線３６が設けられている。第１部分２８、第２部分３０および第３部分３２のそれぞれには、第１開口Ｍ１、第２開口Ｍ２および第３開口Ｍ３のそれぞれを形成するための切り取り位置を示す第１切り取り標線３８、第２切り取り標線４０ａ，４０ｂおよび第３切り取り標線４２が設けられている。第１部分２８を前方に９０度倒すとき、第１開口Ｍ１を通して第１部分２８に第２部分３０の一部が受け入れられる。第３部分３２を前方に９０度倒すとき、第３開口Ｍ３を通して第３部分３２に第２部分３０の一部が受け入れられる。
【選択図】  図１【図１】
0006774078.tif 000002
【図２】
0006774078.tif 000003
【図３】
0006774078.tif 000004
【図４】
0006774078.tif 000005
【図５】
0006774078.tif 000006
【図６】
0006774078.tif 000007
【図７】
0006774078.tif 000008
【図８】
0006774078.tif 000009
【図９】
0006774078.tif 000010
【図１０】
0006774078.tif 000011
【図１１】
0006774078.tif 000012